(57)【要約】【課題】情報配信網上において限定された情報送受信装置からの情報送信要求に対し、経済性、操作性に優れ、効率的情報配信が可能な情報配信システムを得る【解決手段】商品又は商業上のキャラクタの外形を有するか又はその配布が無料である着脱可能な外部メモリ及び該外部メモリが着脱されたことを検知可能な機構を備えた情報処理装置からなる情報送受信装置並びに受信者情報記録部と情報内容記録部と送信制御部から構成され、受信者情報等記録手順と送信制御手順を備える情報送信装置からなる情報配信システム【選択図】図１
2006146394.tif 000002
【特許請求の範囲】
【請求項１】
情報送信装置内に該情報送信装置から情報を受信した者に関する情報を記録する受信者情報記録部と該情報送信装置外の情報内容記録装置に関する情報を記録した内容装置記録部と該情報送信装置から情報を受信しようとする者の情報送信要求に応じて、該受信者情報記録部に記録された情報と該内容装置記録部に記録された情報を参照し、該情報送信装置外の情報内容記録装置の一を選択し、該選択された該情報内容記録装置に記録されている情報を該情報送信要求を送信した情報送受信装置に送信する送信制御部から構成され、該受信者情報記録部に該情報送信装置から情報を受信しようとする情報送受信装置に関する情報を記録し、該内容装置記録部に該情報送信装置外の情報内容記録装置に関する情報を記録する手順と該情報送信装置に対する情報送信要求に対し、該情報送信を要求した情報送受信装置が該受信者情報記録部に記録されている者であるか否かを照合し、該受信者情報記録部に記録されている者であるならば、該受信者情報記録部に記録されている該情報送信を要求した情報送受信装置の情報と該送信制御部において定められた基準に基づき、該内容装置記録部に記録された情報内容記録装置の内の一を選択し、該選択された情報内容記録装置に記録された情報を該情報送信を要求した情報送受信装置に送信する手順からなる情報送信装置を有することを特徴とする情報配信網上に情報を配信するための情報配信システム。
【請求項２】
着脱可能な外部メモリ及び着脱可能な外部メモリが着脱されたことを検知可能な機構を有する情報処理装置から構成され、着脱可能な外部メモリが該情報処理装置に装着された時には、該外部メモリに記録された情報に基づき情報配信網場の特定の情報送信装置に接続する手順と該外部メモリが該情報処理装置から取り除かれた時には該接続を遮断する手順を有する情報送受信装置と情報送信装置内に該情報送信装置から情報を受信した者に関する情報を記録する受信者情報記録部と該情報送信装置外の情報内容記録装置に関する情報を記録した内容装置記録部と該情報送信装置から情報を受信しようとする者の情報送信要求に応じて、該受信者情報記録部に記録された情報と該内容装置記録部に記録された情報を参照し、該情報送信装置外の情報内容記録装置の一を選択し、該選択された該情報内容記録装置に記録されている情報を該情報送信要求を送信した情報送受信装置に送信する送信制御部から構成され、該受信者情報記録部に該情報送信装置から情報を受信しようとする情報送受信装置に関する情報を記録し、該内容装置記録部に該情報送信装置外の情報内容記録装置に関する情報を記録する手順と該情報送信装置に対する情報送信要求に対し、該情報送信を要求した情報送受信装置が該受信者情報記録部に記録されている者であるか否かを照合し、該受信者情報記録部に記録されている者であるならば、該受信者情報記録部に記録されている該情報送信を要求した情報送受信装置の情報と該送信制御部において定められた基準に基づき、該内容装置記録部に記録された情報内容記録装置の内の一を選択し、該選択された情報内容記録装置に記録された情報を該情報送信を要求した情報送受信装置に送信する手順からなる情報送信装置を有することを特徴とする情報配信網上に情報を配信するための情報配信システム。
【請求項３】
請求項２記載の着脱可能な外部メモリの外形が商品又は商業上のキャラクタであること又は該外部メモリが無料で配布されていることを特徴とする請求項２記載の情報配信システム。
【発明の詳細な説明】
【技術分野】
【０００１】
本発明は、情報配信網上の情報配信システムに関するものである。
【背景技術】
【０００２】
今日インターネットをはじめとする情報配信網は、社会生活上もはや不可欠な社会基盤として認知され、今後ますますその効率的な利用が求められている。情報配信網においては、情報の送信要求する装置すなわち情報送受信装置と情報を送信する装置すなわち情報送信装置との両装置が存在し、これら両者の情報交換によりその通信がなりたっている。従って、情報配信網の効率的利用を図るためにはこれら両者の協調的動作が出来るようなシステムであることが必要とされている。
【０００３】
従来の情報配信網は、情報送受信装置と情報送信装置及び情報配信網はそれぞれ独立した装置として捉えられており、それぞれの装置の改良が行われてきた。
【０００４】
例えば、情報送信装置の改良例としては、いわゆるクラスター構成による情報送信装置がある。クラスター構成による情報送信装置とは、情報送信装置の負荷を分散するため、その内部にロードバランサーという機構を備え、情報送信装置の負荷をその内部のノードと呼ばれる単位に分散し、全体として情報送信装置の処理効率を高めようとする機構であるが、これは単に情報送信装置のみの処理効率を高めるものであって、該送信装置に情報送信要求を送信する情報送受信装置のことを考慮していない。例えば特許公開２００３−２５６３９２は、このようなロードバランス制御装置及びロードバランス制御方法に関する先行技術であるが、該先行技術は、単に配信要求されたコンテンツを指定する際に用いられる名称を構成するために使用される文字の種類の数を考慮するのみで、本発明のように情報送受信装置の受信記録を使用していない。
【０００５】
しかし、経験則によれば、ある特定の情報送受信装置に注目してみれば、該情報送受信装置が情報送信要求を行う情報内容には、限定性が存在する。ある情報送受信装置はもっぱら動画情報を受信しているのに対し、ある情報送受信装置は静止画を要求しているといった如くである。したがって、その特性をも利用すればより効率的な情報配信が可能になるとかんがえられる。
【０００６】
このような情報送受信装置をも含めた情報配信システムの例として、特許公開２００３−２４２０５７は、情報送受信装置をグループ化し、そのグループ毎に接続セッション数及び最大接続セッション数を定め、もって情報送信装置にかかる負荷を軽減しようとするものであるが、本発明は情報送信装置内に情報送受信装置からの情報送信要求履歴を記録し、該記録の活用を通じて情報送信装置の効率を高めようとするものであって、情報送受信装置に着目して点は同一ではあってもその機構は異なる。
【０００７】
本発明は、従来着目されていなかった情報送受信装置から情報送信装置に対する情報送信要求に着目し、情報送信装置の効率性を高めようとするものであって、この点において先行技術にない進歩性を有すると考えられる。
【特許文献１】特許公開２００３−２５６３９２公報
【特許文献２】特許公開２００３−２４２０５７公報
【発明の開示】
【発明が解決しようとする課題】
【０００８】
情報配信網上において限定された情報送受信装置からの情報送信要求に対し、経済性、操作性に優れ、効率的情報配信が可能な情報配信システムを得ること。
【課題を解決するための手段】
【０００９】
請求項１に係る発明は、情報配信網上の情報送信装置が受信者情報記録部と情報内容記録部と送信制御部から構成され、受信者情報等記録手順と送信制御手順を備えることを特徴とする。
【００１０】
請求項２に係る発明は、着脱可能な外部メモリと情報処理装置からなる情報送受信装置と請求項１記載の情報送信装置との組み合わせにより、情報配信システムを構成することを特徴とする。
【発明の効果】
【００１１】
請求項１にかかる発明は、情報配信網上に設置される情報送信装置について、該情報配信網上に送信される情報の記録装置を従来の情報送信装置内に置くのではなく、それを情報送信装置外に置くことにより、該情報送信装置と該情報内容記録装置との並行処理性を高め、加えて、情報送信要求を送信した者に関する情報をその内部に記録することにより送信する情報の選択時間の短縮を図ることを可能とした。
請求項２にかかる発明は、着脱可能な外部メモリと該外部メモリの着脱を検知できる機構を有する情報受信装置と請求項１記載の情報送信装置との組み合わせにより該情報送信装置が迅速にそのその管理する情報内容記録装置を選択することを可能とした。
【発明を実施するための最良の形態】
【００１２】
着脱可能な外部メモリ及び該外部メモリが着脱されたことを検知可能な機構を備えた情報処理装置からなる情報送受信装置並びに受信者情報記録部と情報内容記録部と送信制御部から構成され、受信者情報等記録手順と送信制御手順を備える情報送信装置からなる情報配信システム
【実施例１】
【００１３】
本発明を説明するにあたり使用する用語の意義はそれぞれ次のとおりである。
「情報配信網」とは、情報送信装置と情報送受信装置を繋ぐ情報通信経路の全体を指し、いわゆるインターネットあるいはＬＡＮといわれるものであって、その情報通信経路が同軸ケーブルなどの有線又は無線において構成されたものであってもよい。
【００１４】
「情報送信装置」とは、情報配信網上においてもっぱら情報送受信装置からの情報送信要求に対し、その管理する情報を該情報送受信装置にたいして送信する機構を有する装置である。すくなくとも受信者情報記録部と情報内容装置記録部と送信制御部を有することを要する。その送信する情報は該装置内に保有すると、その装置外の装置が保有するとを問わず、また、該装置内において該情報送信要求を処理する機構及びその他の処理を行う機構を有してもよい。一般に「サーバ」と呼ばれることが多い。
【００１５】
上記情報送信装置に含まれる「受信者情報記録部」とは、該情報送信装置に対し情報送信要求を送信した情報送受信装置に関する情報を記録する機構であって、その記録形式がデータベースであるとその他の形式であるとを問わない。
【００１６】
上記情報送信装置に含まれる「情報内容装置記録部」とは、該情報送信装置に情報交換を行いうる情報内容記録装置に関する情報を記録した機構であって、その記録形式がデータベースであるとその他の形式であるとを問わない。
【００１７】
上記情報送信装置に含まれる「送信制御部」とは、情報送受信装置から受信した情報送信要求に対して受信者情報記録部に記録された情報と予め該情報送信装置に設定されたルールに基づき情報内容記録装置記録部に記録された情報内容記録装置を選択し、該選択された情報内容記録装置に記録された情報を情報配信網を通じて該情報送信要求を送信した情報送受信装置に送信する機構をいう。
【００１８】
「情報送受信装置」とは、情報交換網上においてもっぱら情報送信装置に対し情報送信要求を送信する機構を有する装置であって、すくなくとも表示部と入力部と外部メモリとの接続端子を有するものを言う。具体的にはパーソナルコンピュータ、携帯情報端末、携帯電話などである。
【００１９】
「外部メモリ」とは、情報送受信装置に接続して用いる情報記録機構を有する装置をいい、情報送受信装置との接続端子を有するものをいう。その情報記録部と接続部が分離されていてもいい。具体的にはＵＳＢメモリ、接続型フロッピ装置、接続型ハードディスク装置、ＳＤメモリとＵＳＢ接続アダプタなどである。
【００２０】
「情報内容記録装置」とは、情報送信装置を経由してその内部に記録された情報を情報配信網上に送信する装置をいい、少なくともその内部に情報送信装置との情報交換機構と情報記録部を有するものをいう。その記録している情報の内容は広告、動画、静止画、文書などその種類は問わない。一般的には「コンテンツサーバ」と呼ばれることが多い。
【００２１】
本発明の内容を図により説明する。
【００２２】
図１は、本発明の概要を図示したものであって、本発明が、着脱可能な外部メモリと情報送受信装置と情報配信網と情報送信装置と情報内容記録装置からなり、情報送信装置内には、受信者情報記録部と情報内容装置記録部と送信制御部を含み情報送受信装置と情報送信装置とは情報配信網により接続されており、情報送信装置と情報内容記録装置とは内部情報経路により接続されていることを示す。
【００２３】
図２は、受信者情報記録部に記録されている情報の構造を図示したもので、該記録部には、情報送受信装置ＩＤと情報送受信装置が情報送信装置と接続する際に必要となる識別情報と過去に該情報送受信装置が該情報送信装置に接続されたときに情報を提供した情報内容送信装置の識別情報が記録されていることを示している。
【００２４】
図３は、情報内容装置記録部に記録されている情報の構造を図示したもので、該記録部には、該情報内容装置を識別するための識別番号と該情報内容装置に記録されている情報の目次が記録されていることを示している。
【００２５】
図４は、着脱可能な外部メモリが情報送受信装置に装着された際の処理手順を示したフローチャートである。該手順は着脱可能な外部メモリが情報送受信装置に装着された時に、該情報送受信装置の検知機構によりそのことが検知され開始される。
【００２６】
図５は、着脱可能な外部メモリが情報送受信装置から取り除かれ際の処理手順を示したフローチャートである。該手順は着脱可能な外部メモリが情報送受信装置から取り除かれた時に、該情報送受信装置の検知機構によりそのことが検知され開始される。
【００２７】
図６は、情報送信装置が情報送受信装置から情報送信要求を送信されたときの処理手順を示したフローチャートであって、該手順は、情報送信装置が情報送受信装置から情報送信要求を受信したときに開始される。
【００２８】
図７は、情報送信装置の情報内容記録装置記録部に該情報送信装置に接続された情報内容記録装置の情報を記録するときの処理手順を示したフローチャートである。
【産業上の利用可能性】
【００２９】
本発明は、情報配信網上において限定された情報送受信装置からの情報送信要求に対し、経済性、操作性に優れ、効率的情報配信が可能な着脱可能な外部メモリ及び該外部メモリが着脱されたことを検知可能な機構を備えた情報処理装置からなる情報送受信装置並びに受信者情報記録部と情報内容記録部と送信制御部から構成され、受信者情報等記録手順と送信制御手順を備える情報送信装置からなる情報配信システムに関する。
【図面の簡単な説明】
【００３０】
【図１】情報配信システムの概略図である。
【図２】受信者情報記録部に記録されている情報の構造を示した図である。
【図３】情報内容装置記録部に記録されている情報の構造を示した図である。
【図４】着脱可能な外部メモリが情報送受信装置に装着された際の処理手順を示したフローチャートである。
【図５】着脱可能な外部メモリが情報送受信装置から取り除かれ際の処理手順を示したフローチャートである。
【図６】情報送信装置が情報送受信装置から情報送信要求を送信されたときの処理手順を示したフローチャートである。
【符号の説明】
【００３１】
１  着脱可能な外部メモリ
２  情報送受信装置  
３  情報配信網  
４  情報送信装置  
５  受信者情報記録部
６  情報内容記録装置記録部
７  送信制御部
８  情報内容記録装置１
９  情報内容記録装置２
１０  情報内容記録装置３  
【図１】
2006146394.tif 000003
【図２】
2006146394.tif 000004
【図３】
2006146394.tif 000005
【図４】
2006146394.tif 000006
【図５】
2006146394.tif 000007
【図６】
2006146394.tif 000008